(57)【要約】      （修正有）【課題】ニューキャリアタイプ（ＮＣＴ）の場合のリソース要素単位エネルギー（ＥＰＲＥ）比を適切に判断できるワイヤレス通信のための方法を提供する。【解決手段】ＵＥは、セルの第１の帯域幅と第２の帯域幅とを判断し、ここにおいて、基準信号が、第２の帯域幅中に存在し、第２の帯域幅外に存在しない。ＵＥは、セルからサブフレーム１０００中の少なくとも１つのリソースブロック１０１２〜１０１６を用いて物理チャネルを受信する。サブフレームは、１つまたは複数のシンボルを含む。ＵＥは、第１の帯域幅と第２の帯域幅とに少なくとも部分的に基づいて、受信された物理チャネルについての少なくとも１つのリソース要素単位エネルギー（ＥＰＲＥ）比を判断し、判断されたＥＰＲＥ比に基づいて物理チャネルを処理する。【選択図】図１０
2018033148.tif 000002
【特許請求の範囲】
【請求項１】
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを備える、ワイヤレス通信の方法。
【請求項２】
前記物理チャネルが物理ダウンリンク共有チャネル（ＰＤＳＣＨ）である、請求項１に記載の方法。
【請求項３】
前記物理チャネルが拡張物理ダウンリンク制御チャネル（ＥＰＤＣＣＨ）である、請求項１に記載の方法。
【請求項４】
前記第２の帯域幅が前記第１の帯域幅よりも小さい、請求項１に記載の方法。
【請求項５】
前記基準信号が、共通基準信号（ＣＲＳ）およびチャネル状態情報基準信号（ＣＳＩ−ＲＳ）のうちの少なくとも１つである、請求項１に記載の方法。
【請求項６】
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、請求項１に記載の方法。
【請求項７】
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、請求項１に記載の方法。
【請求項８】
前記少なくとも１つのＥＰＲＥ比に関連する情報を受信することをさらに備え、ここにおいて、前記少なくとも１つのＥＰＲＥ比が、前記受信された情報に基づいてさらに判断される、請求項１に記載の方法。
【請求項９】
前記リソースブロックまたは前記サブフレームのうちの前記受信された少なくとも１つに対して前記少なくとも１つのＥＰＲＥ比をどのように適用するかを判断することをさらに備える、請求項１に記載の方法。
【請求項１０】
前記少なくとも１つのＥＰＲＥ比をどのように適用するかの前記判断が、暗黙的導出または明示的シグナリングのうちの少なくとも１つに基づいて行われる、請求項９に記載の方法。
【請求項１１】
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、請求項９に記載の方法。
【請求項１２】
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、請求項９に記載の方法。
【請求項１３】
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに前記第３のＥＰＲＥ比を適用することを判断することとを備える、請求項９に記載の方法。
【請求項１４】
前記少なくとも１つのＥＰＲＥ比が第１および第２のＥＰＲＥ比を備え、前記少なくとも１つのＥＰＲＥ比をどのように適用するかの前記判断が、
第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、請求項９に記載の方法。
【請求項１５】
前記少なくとも１つのＥＰＲＥ比が、前記基準信号のためのアンテナポートの数に基づいてさらに判断される、請求項１に記載の方法。
【請求項１６】
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、請求項１に記載の方法。
【請求項１７】
前記第２のキャリアタイプがアンカーキャリアであり、前記第１のキャリアタイプが、前記アンカーキャリアと少なくとも１つの追加のキャリアセグメントとをアグリゲートするキャリアである、請求項１６に記載の方法。
【請求項１８】
セルの第１の帯域幅と第２の帯域幅とを判断するための手段と、ここにおいて、基準信号が、前記第２の帯域幅中に存在し、前記第２の帯域幅外に存在しない、
前記セルからサブフレーム中の少なくとも１つのリソースブロックを用いて物理チャネルを受信するための手段と、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断するための手段と、
前記判断された少なくとも１つのＥＰＲＥ比に基づいて前記物理チャネルを処理するための手段とを備える、ワイヤレス通信のための装置。
【請求項１９】
前記物理チャネルが物理ダウンリンク共有チャネル（ＰＤＳＣＨ）である、請求項１８に記載の装置。
【請求項２０】
前記物理チャネルが拡張物理ダウンリンク制御チャネル（ＥＰＤＣＣＨ）である、請求項１８に記載の装置。
【請求項２１】
前記第２の帯域幅が前記第１の帯域幅よりも小さい、請求項１８に記載の装置。
【請求項２２】
前記基準信号が、共通基準信号（ＣＲＳ）およびチャネル状態情報基準信号（ＣＳＩ−ＲＳ）のうちの少なくとも１つである、請求項１８に記載の装置。
【請求項２３】
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、請求項１８に記載の装置。
【請求項２４】
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、請求項１８に記載の装置。
【請求項２５】
前記少なくとも１つのＥＰＲＥ比に関連する情報を受信するための手段をさらに備え、ここにおいて、前記少なくとも１つのＥＰＲＥ比が、前記受信された情報に基づいてさらに判断される、請求項１８に記載の装置。
【請求項２６】
前記リソースブロックまたは前記サブフレームのうちの前記受信された少なくとも１つに対して前記少なくとも１つのＥＰＲＥ比をどのように適用するかを判断するための手段をさらに備える、請求項１８に記載の装置。
【請求項２７】
前記少なくとも１つのＥＰＲＥ比をどのように適用するかの前記判断が、暗黙的導出または明示的シグナリングのうちの少なくとも１つに基づいて行われる、請求項２６に記載の装置。
【請求項２８】
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、請求項２６に記載の装置。
【請求項２９】
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、請求項２６に記載の装置。
【請求項３０】
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに第３のＰＤＳＣＨ  ＥＰＲＥ比を適用することを判断することとを備える、請求項２６に記載の装置。
【請求項３１】
前記少なくとも１つのＥＰＲＥ比が第１および第２のＥＰＲＥ比を備え、前記少なくとも１つのＥＰＲＥ比をどのように適用するかを前記判断することが、第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、請求項２６に記載の装置。
【請求項３２】
前記少なくとも１つのＥＰＲＥ比が、前記基準信号のためのアンテナポートの数に基づいてさらに判断される、請求項１８に記載の装置。
【請求項３３】
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、請求項１８に記載の装置。
【請求項３４】
前記第２のキャリアタイプがアンカーキャリアであり、前記第１のキャリアタイプが、前記アンカーキャリアと少なくとも１つの追加のキャリアセグメントとをアグリゲートするキャリアである、請求項３３に記載の装置。
【請求項３５】
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを行うように構成された処理システムを備える、ワイヤレス通信のための装置。
【請求項３６】
前記物理チャネルが物理ダウンリンク共有チャネル（ＰＤＳＣＨ）である、請求項３５に記載の装置。
【請求項３７】
前記物理チャネルが拡張物理ダウンリンク制御チャネル（ＥＰＤＣＣＨ）である、請求項３５に記載の装置。
【請求項３８】
前記第２の帯域幅が前記第１の帯域幅よりも小さい、請求項３５に記載の装置。
【請求項３９】
前記基準信号が、共通基準信号（ＣＲＳ）およびチャネル状態情報基準信号（ＣＳＩ−ＲＳ）のうちの少なくとも１つである、請求項３５に記載の装置。
【請求項４０】
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、請求項３５に記載の装置。
【請求項４１】
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、請求項３５に記載の装置。
【請求項４２】
前記処理システムが、前記少なくとも１つのＥＰＲＥ比に関連する情報を受信するようにさらに構成され、ここにおいて、前記少なくとも１つのＥＰＲＥ比が、前記受信された情報に基づいてさらに判断される、請求項３５に記載の装置。
【請求項４３】
前記処理システムが、前記リソースブロックまたは前記サブフレームのうちの前記受信された少なくとも１つに対して前記少なくとも１つのＥＰＲＥ比をどのように適用するかを判断するようにさらに構成された、請求項３５に記載の装置。
【請求項４４】
前記少なくとも１つのＥＰＲＥ比をどのように適用するかの前記判断が、暗黙的導出または明示的シグナリングのうちの少なくとも１つに基づいて行われる、請求項４３に記載の装置。
【請求項４５】
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、請求項４３に記載の装置。
【請求項４６】
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、請求項４３に記載の装置。
【請求項４７】
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに前記第３のＥＰＲＥ比を適用することを判断することとを備える、請求項４３に記載の装置。
【請求項４８】
前記少なくとも１つのＥＰＲＥ比が第１および第２のＥＰＲＥ比を備え、前記少なくとも１つのＥＰＲＥ比をどのように適用するかの前記判断が、
第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、請求項４３に記載の装置。
【請求項４９】
前記少なくとも１つのＥＰＲＥ比が、前記基準信号のためのアンテナポートの数に基づいてさらに判断される、請求項３５に記載の装置。
【請求項５０】
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、請求項３５に記載の装置。
【請求項５１】
前記第２のキャリアタイプがアンカーキャリアであり、前記第１のキャリアタイプが、前記アンカーキャリアと少なくとも１つの追加のキャリアセグメントとをアグリゲートするキャリアである、請求項５０に記載の装置。
【請求項５２】
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを行うためのコードを備えるコンピュータ可読媒体を備える、コンピュータプログラム製品。
【請求項５３】
前記物理チャネルが物理ダウンリンク共有チャネル（ＰＤＳＣＨ）である、請求項５２に記載のコンピュータプログラム製品。
【請求項５４】
前記物理チャネルが拡張物理ダウンリンク制御チャネル（ＥＰＤＣＣＨ）である、請求項５２に記載のコンピュータプログラム製品。
【請求項５５】
前記第２の帯域幅が前記第１の帯域幅よりも小さい、請求項５２に記載のコンピュータプログラム製品。
【請求項５６】
前記基準信号が、共通基準信号（ＣＲＳ）およびチャネル状態情報基準信号（ＣＳＩ−ＲＳ）のうちの少なくとも１つである、請求項５２に記載のコンピュータプログラム製品。
【請求項５７】
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、請求項５２に記載のコンピュータプログラム製品。
【請求項５８】
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、請求項５２に記載のコンピュータプログラム製品。
【請求項５９】
前記コンピュータ可読媒体が、前記少なくとも１つのＥＰＲＥ比に関連する情報を受信するためのコードをさらに備え、ここにおいて、前記少なくとも１つのＥＰＲＥ比が、前記受信された情報に基づいてさらに判断される、請求項５２に記載のコンピュータプログラム製品。
【請求項６０】
前記コンピュータ可読媒体が、前記リソースブロックまたは前記サブフレームのうちの前記受信された少なくとも１つに対して前記少なくとも１つのＥＰＲＥ比をどのように適用するかを判断するためのコードをさらに備える、請求項５２に記載のコンピュータプログラム製品。
【請求項６１】
前記少なくとも１つのＥＰＲＥ比をどのように適用するかの前記判断が、暗黙的導出または明示的シグナリングのうちの少なくとも１つに基づいて行われる、請求項６０に記載のコンピュータプログラム製品。
【請求項６２】
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、請求項６０に記載のコンピュータプログラム製品。
【請求項６３】
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、請求項６０に記載のコンピュータプログラム製品。
【請求項６４】
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに前記第３のＥＰＲＥ比を適用することを判断することとを備える、請求項６０に記載のコンピュータプログラム製品。
【請求項６５】
前記少なくとも１つのＥＰＲＥ比が第１および第２のＥＰＲＥ比を備え、前記少なくとも１つのＥＰＲＥ比をどのように適用するかの前記判断が、
第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、請求項６０に記載のコンピュータプログラム製品。
【請求項６６】
前記少なくとも１つのＥＰＲＥ比が、前記基準信号のためのアンテナポートの数に基づいてさらに判断される、請求項５２に記載のコンピュータプログラム製品。
【請求項６７】
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、請求項５２に記載のコンピュータプログラム製品。
【請求項６８】
前記第２のキャリアタイプがアンカーキャリアであり、前記第１のキャリアタイプが、前記アンカーキャリアと少なくとも１つの追加のキャリアセグメントとをアグリゲートするキャリアである、請求項６７に記載のコンピュータプログラム製品。
【発明の詳細な説明】
【関連出願】
【０００１】
関連出願の相互参照
[0001]  本出願は、「Reference Signal Power Impact Determination in New Carrier Type in LTE」と題し２０１２年６月１２日に出願された米国仮出願第６１／６５８，８１２号、および「REFERENCE SIGNAL POWER IMPACT DETERMINATION IN NEW CARRIER TYPE IN LTE」と題し２０１３年６月１０日に出願された米国特許出願第１３／９１４，５３１号の利益を主張するもので、これら全てが参照によって明白に本明細書に組み込まれる。
【技術分野】
【０００２】
[0002]  本開示は一般に通信システムに関し、より詳細には、ＬＴＥにおけるニューキャリアタイプ中の基準信号電力影響判断に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これら多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイルテレコミュニケーションズシステム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これら技術を採用する電気通信規格とに適用可能であるべきである。
【発明の概要】
【０００５】
[0005]  本開示の一態様では、方法、コンピュータプログラム製品、および装置が提供される。本装置は、セルの第１の帯域幅と第２の帯域幅とを判断し、ここにおいて、基準信号が、第２の帯域幅中に存在し、第２の帯域幅外に存在しない。本装置は、セルからサブフレーム中の少なくとも１つのリソースブロックを用いて物理チャネルを受信し、サブフレームは１つまたは複数のシンボルを含む。本装置は、第１の帯域幅と第２の帯域幅とに少なくとも部分的に基づいて、受信された物理チャネルについての少なくとも１つのリソース要素単位エネルギー（ＥＰＲＥ：energy per resource element）比を判断する。本装置は、判断された少なくとも１つのＥＰＲＥ比に基づいて物理チャネルを処理する。
【図面の簡単な説明】
【０００６】
【図１】ネットワークアーキテクチャの一例を示す図。
【図２】アクセスネットワークの一例を示す図。
【図３】ＬＴＥにおけるＤＬフレーム構造の一例を示す図。
【図４】ＬＴＥにおけるＵＬフレーム構造の一例を示す図。
【図５】ユーザプレーンおよび制御プレーンのための無線プロトコルアーキテクチャの一例を示す図。
【図６】アクセスネットワーク中の発展型ノードＢおよびユーザ機器の一例を示す図。
【図７】異種ネットワーク中の範囲拡大セルラー領域を示す図。
【図８】ＬＴＥフレームのサブフレームを示す図。
【図９】リソースブロックの第１のＯＦＤＭシンボルおよび第２のＯＦＤＭシンボルを示す図。
【図１０】ＬＴＥフレームのサブフレームを示す図。
【図１１】ＬＴＥフレームのサブフレームを示す図。
【図１２】レガシーキャリアタイプとニューキャリアタイプとを含むＬＴＥフレームのサブフレームを示す図。
【図１３】後方互換性があるアンカーキャリアとキャリアセグメントとを含むＬＴＥフレームのサブフレームを示す図。
【図１４】ワイヤレス通信の方法のフローチャート。
【図１５】例示的な装置中の異なるモジュール／手段／構成要素間のデータフローを示す概念データフロー図。
【図１６】処理システムを採用する装置のためのハードウェア実装形態の一例を示す図。
【発明を実施するための形態】
【０００７】
詳細な説明
[0022]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。但し、これら概念はこれらの具体的な詳細なしに実施され得ることが当業者に明らかであろう。いくつかの例では、そのような概念を不明瞭にしないように、よく知られている構造および構成要素をブロック図の形式で示す。
【０００８】
[0023]  次に、様々な装置および方法に関して電気通信システムのいくつかの態様を提示する。これら装置および方法について、以下の詳細な説明において説明し、（「要素」と総称される）様々なブロック、モジュール、構成要素、回路、ステップ、プロセス、アルゴリズムなどによって添付の図面に示す。これら要素は、電子ハードウェア、コンピュータソフトウェア、またはそれらの任意の組合せを使用して実装され得る。そのような要素がハードウェアとして実装されるのか、ソフトウェアとして実装されるのかは、特定の適用例および全体的なシステムに課された設計制約に依存する。
【０００９】
[0024]  例として、要素、または要素の任意の部分、または複数の要素の任意の組合せが、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を行うように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００１０】
[0025]  従って、１つまたは複数の例示的な実施形態では、説明する機能が、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）はデータをレーザーで光学的に再生する。上記の組合せもコンピュータ可読媒体の範囲内に含まれるべきである。
【００１１】
[0026]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続できるが、簡潔さのために、それらのエンティティ／インターフェースは図示していない。図示のように、ＥＰＳはパケット交換サービスを提供するが、当業者なら容易に諒解するように、本開示全体にわたって提示する様々な概念は、回線交換サービスを提供するネットワークに拡張され得る。
【００１２】
[0027]  Ｅ−ＵＴＲＡＮは、発展型ノードＢ（ｅＮＢ）１０６と他のｅＮＢ１０８とを含む。ｅＮＢ１０６は、ＵＥ１０２に対してユーザプレーンプロトコル終端と制御プレーンプロトコル終端とを与える。ｅＮＢ１０６は、バックホール（例えば、Ｘ２インターフェース）を介して他のｅＮＢ１０８に接続され得る。ｅＮＢ１０６は、基地局、トランシーバ基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）フォン、ラップトップ、携帯情報端末（ＰＤＡ）、衛星無線、全地球測位システム、マルチメディアデバイス、ビデオデバイス、デジタルオーディオプレーヤ（例えば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１３】
[0028]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。全てのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振り並びに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００１４】
[0029]  図２は、ＬＴＥネットワークアーキテクチャにおけるアクセスネットワーク２００の一例を示す図である。この例では、アクセスネットワーク２００が、いくつかのセルラー領域（セル）２０２に分割される。１つまたは複数のより低い電力クラスのｅＮＢ２０８は、セル２０２のうちの１つまたは複数と重複するセルラー領域２１０を有し得る。より低い電力クラスのｅＮＢ２０８は、フェムトセル（例えば、ホームｅＮＢ（ＨｅＮＢ））、ピコセル、マイクロセル、またはリモートラジオヘッド（ＲＲＨ）であり得る。マクロｅＮＢ２０４は各々、該当のセル２０２に割り当てられ、セル２０２中の全てのＵＥ２０６にＥＰＣ１１０へのアクセスポイントを与えるように構成される。アクセスネットワーク２００のこの例には集中コントローラはないが、代替構成では集中コントローラが使用され得る。ｅＮＢ２０４は、無線ベアラ制御、承認制御、モビリティ制御、スケジューリング、セキュリティ、およびサービングゲートウェイ１１６への接続性を含む、全ての無線関係機能を担う。
【００１５】
[0030]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがＤＬ上で使用され、ＳＣ−ＦＤＭＡがＵＬ上で使用される。当業者なら以下の詳細な説明から容易に諒解するように、本明細書で提示する様々な概念は、ＬＴＥ適用例に好適である。但し、これら概念は、他の変調および多元接続技法を採用する他の電気通信規格に容易に拡張され得る。例として、これら概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００規格ファミリーの一部として第３世代パートナーシッププロジェクト２（３ＧＰＰ２：3rd Generation Partnership Project 2）によって公表されたエアインターフェース規格であり、ＣＤＭＡを採用して移動局にブロードバンドインターネットアクセスを提供する。これら概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、並びに、ＯＦＤＭＡを採用する、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００１６】
[0031]  ｅＮＢ２０４は、ＭＩＭＯ技術をサポートする複数のアンテナを有し得る。ＭＩＭＯ技術の使用により、ｅＮＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでＤＬ上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。ＵＬ上で、各ＵＥ２０６は、空間的にプリコードされたデータストリームを送信し、これにより、ｅＮＢ２０４は、空間的にプリコードされた各データストリームのソースを識別することが可能になる。
【００１７】
[0032]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００１８】
[0033]  以下の詳細な説明では、アクセスネットワークの様々な態様について、ＤＬ上でＯＦＤＭをサポートするＭＩＭＯシステムに関して説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（例えば、サイクリックプレフィックス）が各ＯＦＤＭシンボルに追加され得る。ＵＬは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００１９】
[0034]  図３は、ＬＴＥにおけるＤＬフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックが、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはＤＬ基準信号（ＤＬ−ＲＳ：DL reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ＤＬ共有チャネル（ＰＤＳＣＨ：physical DL shared channel）がマッピングされるリソースブロック上でのみ送信される。各リソース要素によって搬送されるビット数は変調方式に依存する。従って、ＵＥが受信するリソースブロックが多いほど、また変調方式が高いほど、ＵＥのデータレートは高くなる。
【００２０】
[0035]  図４は、ＬＴＥにおけるＵＬフレーム構造の一例を示す図４００である。ＵＬのための利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれない全てのリソースブロックを含み得る。ＵＬフレーム構造は、データセクション中の連続するサブキャリアの全てを単一のＵＥに割り当てることを可能にし得る連続サブキャリアを含むデータセクションを生じる。
【００２１】
[0036]  ＵＥには、ｅＮＢに制御情報を送信するために、制御セクション中のリソースブロック４１０ａ、４１０ｂが割り当てられ得る。ＵＥには、ｅＮＢにデータを送信するために、データセクション中のリソースブロック４２０ａ、４２０ｂも割り当てられ得る。ＵＥは、制御セクション中の割り当てられたリソースブロック上の物理ＵＬ制御チャネル（ＰＵＣＣＨ：physical uplink control channel）中で制御情報を送信し得る。ＵＥは、データセクション中の割り当てられたリソースブロック上の物理ＵＬ共有チャネル（ＰＵＳＣＨ：physical uplink shared channel）中でデータのみまたはデータと制御情報の両方を送信し得る。ＵＬ送信は、サブフレームの両方のスロットにわたり得、周波数上でホッピングし得る。
【００２２】
[0037]  １セットのリソースブロックが初期システムアクセスを行い、物理ランダムアクセスチャネル（ＰＲＡＣＨ：physical random access channel）４３０中でＵＬ同期を達成するために使用され得る。ＰＲＡＣＨ４３０は、ランダムシーケンスを搬送し、いかなるＵＬデータ／シグナリングも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００２３】
[0038]  図５は、ＬＴＥにおけるユーザプレーンおよび制御プレーンのための無線プロトコルアーキテクチャの一例を示す図５００である。ＵＥおよびｅＮＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅＮＢとの間のリンクを担う。
【００２４】
[0039]  ユーザプレーンでは、Ｌ２レイヤ５０８が、ネットワーク側のｅＮＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（例えば、ＩＰレイヤ）と、接続の他端（例えば、ファーエンドＵＥ、サーバなど）において終端されるアプリケーションレイヤとを含めてＬ２レイヤ５０８の上にいくつかの上位レイヤを有し得る。
【００２５】
[0040]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ＵＥに対するｅＮＢ間のハンドオーバサポートとを与える。ＲＬＣサブレイヤ５１２は、上位レイヤデータパケットのセグメンテーションおよびリアセンブリと、紛失データパケットの再送信と、ハイブリッド自動再送要求（ＨＡＲＱ：hybrid automatic repeat request）による、順が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル中の様々な無線リソース（例えば、リソースブロック）を割り振ることを担う。ＭＡＣサブレイヤ５１０はまたＨＡＲＱ動作を担う。
【００２６】
[0041]  制御プレーンでは、ＵＥおよびｅＮＢのための無線プロトコルアーキテクチャが、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅＮＢとＵＥとの間のＲＲＣシグナリングを使用して下位レイヤを構成することとを担う。
【００２７】
[0042]  図６は、アクセスネットワーク中でＵＥ６５０と通信しているｅＮＢ６１０のブロック図である。ＤＬでは、コアネットワークからの上位レイヤパケットがコントローラ／プロセッサ６７５に与えられる。コントローラ／プロセッサ６７５はＬ２レイヤの機能を実装する。ＤＬでは、コントローラ／プロセッサ６７５が、様々な優先度メトリックに基づいて、ヘッダ圧縮と、暗号化と、パケットのセグメント化および並べ替えと、論理チャネルとトランスポートチャネルとの間の多重化と、ＵＥ６５０への無線リソース割振りとを行う。コントローラ／プロセッサ６７５はまた、ＨＡＲＱ動作と、紛失パケットの再送信と、ＵＥ６５０へのシグナリングとを担う。
【００２８】
[0043]  送信（ＴＸ）プロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。コーディングされ変調されたシンボルは、次いで並列なストリームに分割(split)される。各ストリームは、次いでＯＦＤＭサブキャリアにマッピングされ、時間領域および／または周波数領域中で基準信号（例えば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルが生成される。ＯＦＤＭストリームは、複数の空間ストリームを生成するために空間的にプリコーディングされる。チャネル推定器６７４からのチャネル推定値は、コーディングおよび変調方式を判断するために、並びに空間処理のために使用され得る。チャネル推定値は、ＵＥ６５０によって送信される基準信号および／またはチャネル状態フィードバックから導出され得る。各空間ストリームは、次いで、別個の送信機６１８ＴＸを介して異なるアンテナ６２０に与えられる。各送信機６１８ＴＸは、送信のために該当の空間ストリームでＲＦキャリアを変調する。
【００２９】
[0044]  ＵＥ６５０において、各受信機６５４ＲＸは、その該当のアンテナ６５２を通して信号を受信する。各受信機６５４ＲＸは、ＲＦキャリア上に変調された情報を復元し、受信（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を行う。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅＮＢ６１０によって送信される、可能性が最も高い信号コンスタレーションポイントを判断することによって復元され、復調される。これらの軟判定は、チャネル推定器６５８によって計算されるチャネル推定値に基づき得る。軟判定は、次いで、物理チャネル上でｅＮＢ６１０によって最初に送信されたデータと制御信号とを復元するために復号され、デインターリーブされる。データおよび制御信号は、次いでコントローラ／プロセッサ６５９に与えられる。
【００３０】
[0045]  コントローラ／プロセッサ６５９はＬ２レイヤを実装する。コントローラ／プロセッサは、プログラムコードとデータとを記憶するメモリ６６０に関連し得る。メモリ６６０はコンピュータ可読媒体と呼ばれることがある。ＵＬでは、コントローラ／プロセッサ６５９が、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上の全てのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担う。
【００３１】
[0046]  ＵＬでは、データソース６６７が、コントローラ／プロセッサ６５９に上位レイヤパケットを与えるために使用される。データソース６６７は、Ｌ２レイヤの上の全てのプロトコルレイヤを表す。ｅＮＢ６１０によるＤＬ送信に関して説明した機能と同様に、コントローラ／プロセッサ６５９は、ヘッダ圧縮と、暗号化と、パケットのセグメント化および並べ替えと、ｅＮＢ６１０による無線リソース割振りに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、紛失パケットの再送信と、ｅノードＢ６１０へのシグナリングとを担う。
【００３２】
[0047]  ｅＮＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のために該当の空間ストリームでＲＦキャリアを変調する。
【００３３】
[0048]  ＵＬ送信は、ＵＥ６５０における受信機機能に関して説明した方法と同様の方法でｅＮＢ６１０において処理される。各受信機６１８ＲＸは、それの該当のアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００３４】
[0049]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。ＵＬでは、コントローラ／プロセッサ６７５が、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担う。
【００３５】
[0050]  図７は、異種ネットワーク中の範囲拡大セルラー領域を示す図７００である。ＲＲＨ７１０ｂなどのより低い電力クラスのｅＮＢは、ＲＲＨ７１０ｂとマクロｅＮＢ７１０ａとの間の拡張セル間干渉協調(enhanced inter-cell interference coordination)と、ＵＥ７２０によって行われる干渉消去(interference cancelation)とを通して、セルラー領域７０２から拡大された範囲拡大セルラー領域７０３を有し得る。拡張セル間干渉協調において、ＲＲＨ７１０ｂは、マクロｅＮＢ７１０ａからＵＥ７２０の干渉状態に関する情報を受信する。この情報により、ＲＲＨ７１０ｂは、ＵＥ７２０が範囲拡大セルラー領域７０３に入るとき、範囲拡大セルラー領域７０３中のＵＥ７２０をサービスし、マクロｅＮＢ７１０ａからのＵＥ７２０のハンドオフを受け入れることが可能になる。
【００３６】
[0051]  ＬＴＥリリース８、９、および１０では、セル固有基準信号（ＣＲＳ）が全てのサブフレーム中に存在する。例えば、１、２、または４ＣＲＳポートがサポートされ得る。ＣＲＳ電力は６ｄＢまでブーストされ得る。ＣＲＳ電力がブーストされる場合、ＰＤＳＣＨの電力は、ＣＲＳ電力のブーストを補償するために減少されなければならない。その結果、ＰＤＳＣＨリソース要素単位エネルギー（ＥＰＲＥ）は全てのＯＦＤＭシンボルにわたって一定ではない。各ＯＦＤＭシンボルのためのＰＤＳＣＨリソース要素の間のＰＤＳＣＨ  ＥＰＲＥとＣＲＳ  ＥＰＲＥとの比は、ＯＦＤＭシンボルがＣＲＳを含んでいるか否かに応じて、ρAまたはρBのいずれかによって示される。例えば、ＯＦＤＭシンボルがＣＲＳを含んでいる場合、ＰＤＳＣＨのためのＥＰＲＥ（「ＰＤＳＣＨ  ＥＰＲＥ」とも呼ばれる）とＣＲＳのためのＥＰＲＥ（「ＣＲＳ  ＥＰＲＥ」とも呼ばれる）との比はρBによって示される。ＯＦＤＭシンボルがＣＲＳを含んでいない場合、ＰＤＳＣＨ  ＥＰＲＥとＣＲＳ  ＥＰＲＥとの比はρAによって示される。
【００３７】
[0052]  図８に、ＬＴＥフレームのサブフレーム８００を示す。図８に示されているように、サブフレーム８００は２つのスロット（例えば、スロット１およびスロット２）を含み、各スロットは７つのＯＦＤＭシンボル（例えば、「Ｓ０」〜「Ｓ６」）を含む。例えば、スロット１およびスロット２はそれぞれ０．５ｍｓであり得る。サブフレーム８００は、ＣＲＳを含む、シンボル８０２、８０４、および８０６などの３つの制御シンボル（例えば、ノーマルサイクリックプレフィックス（ＣＰ）、２ポートＣＲＳ）を含む。従って、サブフレーム８００では、ＣＲＳが、スロット０のシンボル０（ＣＲＳは、３つの制御シンボルからなる制御領域内にあるので、図示せず）およびシンボル４（すなわち、シンボル８０２）、並びにサブフレーム８００中のスロット１のシンボル０および４（すなわち、それぞれシンボル８０４および８０６）中に存在する。
【００３８】
[0053]  ρAおよびρBの値はＵＥ固有であるが、ρBとρAとの比はセル固有であり、パラメータ「ＰB」によって示される。表１に、ＰBの可能な値と、１、２、および４アンテナポート構成のための対応するセル固有比ρB／ρAとを示す。
【００３９】
[0054]  
【表１】
2018033148.tif 000003
【００４０】
[0055]  図９に、一例による、リソースブロック（「ＲＢ」）９０２の第１のＯＦＤＭシンボル９００および第２のＯＦＤＭシンボル９１０を示す。図９に示されているように、第１のＯＦＤＭシンボル９００は６つのリソース要素（「ＲＥ」）の各セット（例えば、セット９０４）中に１つのＣＲＳを含むが、第２のＯＦＤＭシンボル９１０はＣＲＳを含まない。第１のＯＦＤＭシンボル９００は、ＣＲＳの６ｄＢ電力ブーストに対応するＰB値３をもつ１アンテナポートのために構成される。従って、表１に示されているように、ＰB値３に対応する比ρB／ρAの値は２／５である。
【００４１】
[0056]  ＣＲＳの電力が６ｄＢだけブーストされる場合、リソース要素９０８など、ＣＲＳを含むリソース要素は、セット９０４中の他の５つのリソース要素の平均電力の４倍を必要とする。従って、セット９０４中の他の５つのリソース要素９０６は、ＣＲＳの電力がブーストされないとき、またはＣＲＳが同じシンボル中に存在するときに各リソース要素のために使用される電力の２／５である残存電力を共有しなければならない。
【００４２】
[0057]  ＬＴＥリリース８、９、および１０では、物理ダウンリンク制御チャネル（ＰＤＣＣＨ：physical downlink control channel）がサブフレームのいくつかのシンボル中にあり得る。ＰＤＣＣＨは、システム帯域幅全体において完全に分散され、ＰＤＳＣＨと時間領域多重化される。従って、サブフレームは、制御領域とデータ領域とに効果的に分割される。しかしながら、ＬＴＥリリース１１では、新しい制御（例えば、拡張ＰＤＣＣＨ（ｅＰＤＣＣＨ：enhanced PDCCH））が導入され得る。サブフレーム中の最初のいくつかの制御シンボルを占有し得るレガシーＰＤＣＣＨとは異なり、ｅＰＤＣＣＨは、ＰＤＳＣＨと同様にデータ領域を占有する。ｅ−ＰＤＣＣＨメッセージは、サブフレームの第１のスロットと第２のスロットの両方にわたるように構成される（ＦＤＭベースのｅ−ＰＤＣＣＨ）。
【００４３】
[0058]  ＬＴＥリリース１１およびそれ以降では、ニューキャリアタイプ（ＮＣＴ：new carrier type）が与えられ得る。ＮＣＴは、必ずしも、前の（すなわち、レガシー）キャリアタイプとの後方互換性があるとは限らない。ＮＣＴでは、ＣＲＳの存在はサブフレームのサブセット中にのみ存在し得る。例えば、ＣＲＳは５サブフレーム毎に存在し得る。そのような構成は、ＤＬオーバーヘッドを低減すること、およびｅＮＢのためにエネルギー節約を行うことなどのために使用され得る。
【００４４】
[0059]  ＬＴＥリリース１１では、ＮＣＴが、キャリアアグリゲーションの一部として後方互換性があるキャリアに関連付けられる。ＮＣＴのキャリアは、ＬＴＥリリース１１ではスタンドアロンキャリアであり得ない。但し、この制約は、ＮＣＴのキャリアがスタンドアロンキャリアであり得るように、将来のリリースにおいて緩和され得る。ＮＣＴは、（全てのサブフレームでないとしても）少なくともいくつかのサブフレームにおいてレガシー制御領域を有しないことがある。ＮＣＴは、必要な制御シグナリングのためにｅＰＤＣＣＨ（および潜在的に拡張物理制御フォーマットインジケータチャネル（ｅＰＣＦＩＣＨ：enhanced physical control format indicator channel）／拡張物理ハイブリッドＡＲＱインジケータチャネル（ｅＰＨＩＣＨ：enhanced physical hybrid-ARQ indicator channel）など）、または別のキャリアからの制御に完全に依拠し得る。
【００４５】
[0060]  ＮＣＴでは、１ポートＣＲＳのみが５サブフレーム毎にのみ存在し得る。ＣＲＳは帯域幅全体には存在しないことがある。例えば、２０ＭＨｚシステムでは、１ポートＣＲＳが中央の２５個のリソースブロック中に存在し得る。１ポートＣＲＳは復調のためには使用されない。
【００４６】
[0061]  １ポートＣＲＳは、依然として、ＮＣＴにおいて（場合によっては、システム帯域幅よりも小さい帯域幅中で）送信される必要があるので、ＮＣＴにおいてＰBが依然として必要とされ得る。その上、例えば、より良い時間／周波数追跡のために、および／またはより良い経路損失推定のために、ＣＲＳが電力ブーストされ得る。しかしながら、１ポートＣＲＳはシステム帯域幅のリソースブロックのサブセットにすぎないので、ＮＣＴの場合の比ρB／ρAは、レガシーキャリアタイプの場合とは別様に解釈され得る。
【００４７】
[0062]  図１０に、ノーマルＣＰを使用するＬＴＥフレームのサブフレーム１０００を示す。図１０の構成では、サブフレーム１０００が、スロット０中にリソースブロック１０１２、１０１４、および１０１６を含み、スロット１中にリソースブロック１０１８、１０２０、および１０２２を含む。例えば、図１０における各リソースブロックは７つのＯＦＤＭシンボルを含み得る。一態様では、各ＯＦＤＭシンボルが１つまたは複数のＲＥ（図１０に図示せず）を含み得る。
【００４８】
[0063]  図１０の構成で、リソースブロック１００４の行はＣＲＳを含むが、リソースブロック１００２および１００６の行はＣＲＳを含まない。ＣＲＳはシステム帯域幅１００８のサブセット１０１０中にのみ存在すると仮定されるので、比ρB／ρAはリソースブロック依存である。ＣＲＳを含んでいるリソースブロックについてのＰB（すなわち、比ρB／ρAを示す値）がＵＥにシグナリングされ得る。ＣＲＳを含んでいないリソースブロックについて、比ρB／ρAは１である。
【００４９】
[0064]  図１１に、ノーマルＣＰを使用するＬＴＥフレームのサブフレーム１１００を示す。図１１の構成で、サブフレーム１１００は、スロット０中にリソースブロック１１０８、１１１０、および１１１２を含み、スロット１中にリソースブロック１１１４、１１１６、および１１１８を含む。例えば、図１１における各リソースブロックは７つのＯＦＤＭシンボルを含み得る。一態様では、各ＯＦＤＭシンボルが１つまたは複数のＲＥ（図１１に図示せず）を含み得る。
【００５０】
[0065]  図１１の構成では、リソースブロック１１０４の行はＣＲＳを含むが、リソースブロック１１０２および１１０６の行はＣＲＳを含まない。比ρB／ρAは、ＣＲＳが存在するか否かにかかわらず、全てのリソースブロックに適用される。しかしながら、ＰBの値に対応する比ρB／ρAは、ＣＲＳ帯域幅とシステム帯域幅とに基づいて計算され、従って、比ρB／ρAの可能な値は、もはや表１に示された値ではないことがある。一態様では、比ρB／ρAは、αが１未満であるような、ＣＲＳ帯域幅とシステム帯域幅との比（本明細書では「α」として示される）を判断することによって判断され得る。例えば、リソースブロックの６つのリソース要素のセット中の、電力ブーストされたＣＲＳを含むリソース要素によって使用される電力量は、式１を使用して判断され得る。
【数１】
2018033148.tif 000004
【００５１】
上式で、αは、ＣＲＳ帯域幅とシステム帯域幅との比を表し、ＰBは、線形単位の電力ブースティングの量を表す。例えば、合計１００個のリソースブロックのうちの２５個がＣＲＳを含む場合、αは、２５／１００＝０．２５として判断され得る。その上、ＰB＝３であり、各ＣＲＳの電力が６ｄＢ（すなわち、４線形単位）だけブーストされる場合、式１は、０．２５＊４＋（１−０．２５）＝１．７５を与える。従って、上記の例における電力ブーストされたＣＲＳを含むリソース要素は、ＣＲＳを含んでいない他のリソース要素の平均電力の１．７５倍を使用する。従って、リソースブロックの６つのリソース要素のセット中の１つのリソース要素がＣＲＳを含む場合、残りの５つのリソース要素は、リソースブロック当たり（６−１．７５）／５、すなわち４．２５／５として表され得る残存電力を共有しなければならない。従って、上記の例では、ＰB値３に対応する比ρB／ρAが４．２５／５として示され得る。
【００５２】
[0066]  復調のためにＣＲＳに依拠しないＵＥでは、２つのタイプのＰＤＳＣＨシンボルと、（ＣＲＳが存在するときの）第１のタイプのＥＰＲＥと（ＣＲＳが存在しないときの）第２のタイプのＥＰＲＥとの間のセル固有比とがある限り、ρBおよびρAを個々に定義する必要はない。ＲＢ依存および／またはサブフレーム依存の比ρB／ρAがＵＥにシグナリングされ得る。一態様では、明示的な比ρB／ρAがＵＥにシグナリングされ得る。別の構成では、（例えば、ＣＲＳ帯域幅とシステム帯域幅とに基づく）ＵＥが比ρB／ρAを計算するために使用できる比がＵＥにシグナリングされ得る。明示的な比ρB／ρA、またはＵＥが比ρB／ρAを計算するために使用できる比のいずれも、ブロードキャストまたは専用シグナリングを介してシグナリングされ得る。一態様では、ＵＥが、暗黙的導出を通して比ρB／ρAをどのように適用するかを判断し得る。別の態様では、ＵＥが、比ρB／ρAが適用されるべき様式を明示的に示す信号を受信することによって、比ρB／ρAをどのように適用するかを判断し得る。例えば、ＵＥは、ＣＲＳを含んでいるサブフレーム、およびＣＲＳを含んでいる帯域幅の部分にのみ比ρB／ρAを適用するように構成され得る。以下で説明するように、リソースブロックおよび／またはサブフレーム依存の比ρB／ρAは他の構成に適用され得る。
【００５３】
[0067]  図１２に、レガシーキャリアタイプ（ＬＣＴ：legacy carrier type）（例えば、ＬＴＥリリース８／９／１０キャリアタイプ）とＮＣＴ（例えば、ＬＴＥリリース１１またはそれ以降のキャリアタイプ）とを含むＬＴＥフレームのサブフレーム１２００および１２０２を示す。図１２に示されているように、サブフレーム１２００は、周波数領域多重化（ＦＤＭ：frequency domain multiplexing）を使用して、ＬＣＴ（例えば、ＬＣＴ１２０４）とＮＣＴ（例えば、ＮＣＴ１２０１、１２０６）とを同時に搬送し得る。代替的に、サブフレーム１２０２は、時間領域多重化（ＴＤＭ：time domain multiplexing）を使用して、ＬＣＴ（例えば、ＬＣＴ１２１０）とＮＣＴ（例えば、ＮＣＴ１２０８）とを搬送し得る。ＮＣＴの場合の１ポートおよびＬＣＴの場合の１／２／４ポートなど、ＬＣＴとＮＣＴとにおけるＣＲＳポートの数は異なり得ることが諒解できよう。ＬＣＴとＮＣＴとのためのＣＲＳ帯域幅は同じであることも異なることもあり得る。その結果、異なるＵＥ（すなわち、ＬＣＴのために構成されたＵＥおよびＮＣＴのために構成されたＵＥ）は、異なるＰＤＳＣＨシンボルについて異なるＰＤＳＣＨ  ＥＰＲＥ比の指示を受信し得る。
【００５４】
[0068]  一構成で、ＬＣＴリソースブロックについてのＰBに対応する比ρB／ρAは、ＮＣＴ  ＵＥのためのＮＣＴリソースブロックについてのＰBに対応する比ρB／ρAとは異なり得る。別の構成で、ＬＣＴリソースブロックについてのＰBに対応する比ρB／ρAは、ＮＣＴ  ＵＥのためのＮＣＴリソースブロックについてのＰBに対応する比ρB／ρAについて同じであり得る。比ρB／ρAは、（該当のＮＣＴおよびＬＣＴ帯域幅パートについて異なり得る）ＣＲＳのための電力ブースティングと、ＮＣＴおよびＬＣＴ帯域幅パート中の異なる数のＣＲＳポートと、ＮＣＴおよびＬＣＴのための帯域幅とを考慮に入れることができる。ＴＤＭに基づくサブフレーム１２０２では、３つのＰＤＳＣＨ  ＥＰＲＥ比値のセット、すなわち、ＬＣＴ動作のために１つ、１ポートＣＲＳをもつＮＣＴ動作のために１つ、および１ポートＣＲＳをもたないＮＣＴ動作のために１つが適用可能であり得る。異なる数のＣＲＳポートのＮＣＴとの潜在的共存に照らして、必ずしも１ポートＣＲＳに関連するとは限らない値をもつ比ρB／ρAがＮＣＴのユーザに示され得る。
【００５５】
[0069]  図１３に、後方互換性があるアンカーキャリアとキャリアセグメントとを含むＬＴＥフレームのサブフレーム１３００を示す。図１３に示されているように、サブフレーム１３００は、ＬＣＴとＣＲＳとを含むアンカーキャリア１３０２と、新しいＵＥ（すなわち、ＮＣＴのために構成されたＵＥ）のユーザにとってのみ利用可能な追加の帯域幅を含むキャリアセグメント１３０４および１３０６とを含む。新しいＵＥは、アンカーキャリア１３０２中のＬＣＴと、キャリアセグメント１３０４および１３０６中の追加の帯域幅とをシングルキャリアとして扱う。一構成で、アンカーキャリア１３０２中のＬＣＴにおけるＰＤＳＣＨ  ＥＰＲＥ比ρB／ρAは、キャリアセグメントがＣＲＳを搬送しない場合、および／または、１ポートのみなど、異なる構成でＣＲＳを搬送する場合、キャリアセグメント１３０４および１３０６中のＰＤＳＣＨ  ＥＰＲＥ比ρB／ρAとは異なり得る。
【００５６】
[0070]  ＣＲＳのリソースブロック依存および／またはサブフレーム依存の存在により、ＣＲＳを含んでいるシンボル中のＰＤＳＣＨ  ＥＰＲＥと、ＣＲＳをもたないシンボル中のＰＤＳＣＨ  ＥＰＲＥとの比を表すＰＤＳＣＨ  ＥＰＲＥ比ρB／ρAも、リソースブロック依存および／またはサブフレーム依存であり得る。例えば、１ポートＣＲＳが５つのサブフレームのうちの１つ中にのみ存在する場合、１ポートＣＲＳをもつＮＣＴは、システム帯域幅よりも小さい帯域幅を有し得る、全帯域幅または部分帯域幅をもつ１ポートＣＲＳをもつＮＣＴは、ＦＤＭ、ＴＤＭ、またはＴＤＭおよびＦＤＭ様式でＬＣＴと共存する、ＣＲＳがアンカーキャリアとは別様に構成され得るキャリアセグメント、などである。前に説明したように、ＰＤＳＣＨ  ＥＰＲＥ比ρB／ρAはＵＥに示され得る。本明細書で開示する構成および態様は、狭帯域チャネル状態情報基準信号（ＣＳＩ−ＲＳ：channel state information reference signal）など、ＣＲＳ以外の基準信号を含むサブフレームに適用され得ることを理解されたい。例えば、狭帯域ＣＳＩ−ＲＳで、ＲＳを含んでいるシンボル中のＰＤＳＣＨ  ＥＰＲＥと、ＲＳをもたないシンボル中のＰＤＳＣＨ  ＥＰＲＥとの比を表す比ρB／ρAは、リソースブロックおよび／またはサブフレーム依存であり得る。
【００５７】
[0071]  図１４は、ワイヤレス通信の方法のフローチャート１４００である。本方法はＵＥによって行われ得る。ステップ１４０２において、ＵＥは、セルの第１の帯域幅と第２の帯域幅とを判断し、ここで、基準信号が、第２の帯域幅中に存在し、第２の帯域幅外に存在しない。一態様で、第２の帯域幅は第１の帯域幅よりも小さい。例えば、図１０を参照すると、第１の帯域幅はシステム帯域幅１００８であり得、第２の帯域幅はシステム帯域幅１００８のサブセット１０１０であり得る。一態様で、基準信号はＣＲＳおよび／またはＣＳＩ−ＲＳである。
【００５８】
[0072]  ステップ１４０４において、ＵＥは、セルからサブフレーム中の少なくとも１つのリソースブロックを用いて物理チャネルを受信する。サブフレームは、ＯＦＤＭシンボルなど、１つまたは複数のシンボルを含み得る。例えば、物理チャネルはＰＤＳＣＨまたはＥＰＤＣＣＨであり得る。
【００５９】
[0073]  ステップ１４０５において、ＵＥは、受信された物理チャネルについての少なくとも１つのＥＰＲＥ比に関連する情報を受信する。ＵＥは、受信された情報に基づいて少なくとも１つのＥＰＲＥ比を判断し得る。
【００６０】
[0074]  ステップ１４０６において、ＵＥは、第１の帯域幅と第２の帯域幅とに少なくとも部分的に基づいて、受信された物理チャネルについての少なくとも１つのＥＰＲＥ比を判断する。一態様で、ＥＰＲＥ比は、基準信号を含んでいないサブフレーム中の少なくとも別のシンボルにおけるＰＤＳＣＨ  ＥＰＲＥで除算された、基準信号を含んでいるサブフレーム中の少なくとも１つのシンボルにおけるＰＤＳＣＨ  ＥＰＲＥである。別の態様で、ＥＰＲＥ比は、サブフレーム中の基準信号のＥＰＲＥで除算された、サブフレーム中の少なくとも１つのシンボルにおけるＰＤＳＣＨ  ＥＰＲＥである。
【００６１】
[0075]  ステップ１４０７において、ＵＥは、リソースブロックまたはサブフレームのうちの受信された少なくとも１つに対して少なくとも１つのＥＰＲＥ比をどのように適用するかを判断する。一態様で、少なくとも１つのＥＰＲＥ比をどのように適用するかの判断は、暗黙的導出および／または明示的シグナリングに基づいて行われる。一態様で、少なくとも１つのＥＰＲＥ比は、基準信号のためのアンテナポートの数に基づいてさらに判断される。別の態様で、サブフレームの第１の帯域幅は第１のキャリアタイプであり、サブフレームの第２の帯域幅は第２のキャリアタイプであり、第１の帯域幅と第２の帯域幅とについて異なるＥＰＲＥ比が判断される。そのような態様で、第２のキャリアタイプはアンカーキャリアであり、第１のキャリアタイプは、アンカーキャリアと少なくとも１つの追加のキャリアセグメントとをアグリゲートするキャリアである。
【００６２】
[0076]  一態様で、ＵＥは、基準信号をもたない第１のリソースブロックに第１のＥＰＲＥ比を適用することと、基準信号をもつ第２のリソースブロックに第２のＥＰＲＥ比を適用することとを判断することによって、少なくとも１つのＥＰＲＥ比をどのように適用するかを判断する。そのような態様で、第１のリソースブロックと第２のリソースブロックとは同じサブフレーム中でコンカレント（concurrent）である。
【００６３】
[0077]  一態様で、ＵＥは、基準信号をもたない第１のリソースブロックと、基準信号をもつ第２のリソースブロックとに同じＥＰＲＥ比を適用することを判断することによって、少なくとも１つのＥＰＲＥ比をどのように適用するかを判断する。そのような態様で、第１のリソースブロックと第２のリソースブロックとは同じサブフレーム中でコンカレントであり、同じＥＰＲＥ比は、第２の帯域幅と第１の帯域幅との比と、第２の帯域幅中の基準信号のＥＰＲＥとに基づいて判断される。
【００６４】
[0078]  別の態様で、ＵＥは、第１のキャリアタイプの基準信号をもつ第１のサブフレームに第１のＥＰＲＥ比を適用することと、第２のキャリアタイプの第２のサブフレームに第２のＥＰＲＥ比を適用することとを判断することと、第１のキャリアタイプ内の基準信号をもたない第３のサブフレームに第３のＥＰＲＥ比を適用することを判断することとによって、少なくとも１つのＥＰＲＥ比をどのように適用するかを判断する。
【００６５】
[0079]  別の態様で、ＵＥは、第１のサブフレームに第１のＥＰＲＥ比を適用することと、基準信号をもつ第２のサブフレームに第２のＥＰＲＥ比を適用することとを判断することによって、少なくとも１つのＥＰＲＥ比をどのように適用するかを判断する。そのような態様で、第１のサブフレームと第２のサブフレームとは同じ無線フレーム中にあり、第１のＥＰＲＥ比と第２のＥＰＲＥ比とは異なる。
【００６６】
[0080]  最後に、ステップ１４０８において、ＵＥは、判断された少なくとも１つのＥＰＲＥ比に基づいて物理チャネルを処理する。一態様で、ＵＥは、さらに、少なくとも１つのＥＰＲＥ比がどのように適用されるべきかの判断に従って物理チャネル（例えば、ＰＤＳＣＨまたはＥＰＤＣＣＨ）を処理し得る。
【００６７】
[0081]  図１５は、例示的な装置１５０２中の異なるモジュール／手段／構成要素間のデータフローを示す概念データフロー図１５００である。本装置はＵＥであり得る。本装置は、セルからサブフレーム中の少なくとも１つのリソースブロックを用いて物理チャネル（例えば、ＰＤＳＣＨまたはＥＰＤＣＣＨ）を受信する受信モジュール１５０４を含む。一構成で、受信モジュール１５０４は、受信された物理チャネルについての少なくとも１つのＥＰＲＥ比に関連する情報をさらに受信する。本装置は、セルの第１の帯域幅と第２の帯域幅とを判断する帯域幅判断モジュール１５０６、ここで、基準信号が、第２の帯域幅中に存在し、第２の帯域幅外に存在しない、をさらに含む。本装置は、第１の帯域幅と第２の帯域幅とに少なくとも部分的に基づいて、受信された物理チャネルについての少なくとも１つのＥＰＲＥ比を判断するＥＰＲＥ比判断モジュール１５０８をさらに含む。一構成で、ＥＰＲＥ比判断モジュール１５０８は、リソースブロックまたはサブフレームのうちの受信された少なくとも１つに対して少なくとも１つのＥＰＲＥ比をどのように適用するかをさらに判断する。本装置は、判断された少なくとも１つのＥＰＲＥ比に基づいて物理チャネルを処理する処理モジュール１５１０をさらに含む。本装置は、ｅＮＢ１５１４に送信するための送信モジュール１５１２をさらに含む。
【００６８】
[0082]  本装置は、図１４の上述のフローチャート中のアルゴリズムのステップの各々を行う追加のモジュールを含み得る。従って、図１４の上述のフローチャート中の各ステップは１つのモジュールによって行われ得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを行うように構成されたプロセッサによって実装されるか、プロセッサによる実装のためにコンピュータ可読媒体内に記憶されるか、またはそれらの何らかの組合せであり得る。
【００６９】
[0083]  図１６は、処理システム１６１４を採用する装置１５０２’のためのハードウェア実装形態の一例を示す図１６００である。処理システム１６１４は、バス１６２４によって概略的に表されるバスアーキテクチャを用いて実装され得る。バス１６２４は、処理システム１６１４の特定の適用例および全体的な設計制約に応じて、任意の数の相互接続バスおよびブリッジを含み得る。バス１６２４は、プロセッサ１６０４、モジュール１５０４、１５０６、１５０８、１５１０、および１５１２、並びにコンピュータ可読媒体１６０６によって表される、１つまたは複数のプロセッサおよび／またはハードウェアモジュールを含む様々な回路を互いにリンクする。バス１６２４はまた、タイミングソース、周辺機器、電圧調整器、および電力管理回路など、様々な他の回路をリンクし得るが、これら回路は当技術分野においてよく知られており、従って、これ以上説明しない。
【００７０】
[0084]  処理システム１６１４はトランシーバ１６１０に結合され得る。トランシーバ１６１０は、１つまたは複数のアンテナ１６２０に結合される。トランシーバ１６１０は、伝送媒体を介して様々な他の装置と通信するための手段を与える。処理システム１６１４は、コンピュータ可読媒体１６０６に結合されたプロセッサ１６０４を含む。プロセッサ１６０４は、コンピュータ可読媒体１６０６に記憶されたソフトウェアの実行を含む一般的な処理を担う。ソフトウェアは、プロセッサ１６０４によって実行されたとき、処理システム１６１４に、特定の装置のための上記で説明した様々な機能を行わせる。コンピュータ可読媒体１６０６はまた、ソフトウェアを実行するときにプロセッサ１６０４によって操作されるデータを記憶するために使用され得る。処理システムは、モジュール１５０４、１５０６、１５０８、１５１０、および１５１２のうちの少なくとも１つをさらに含む。それらのモジュールは、プロセッサ１６０４中で動作するか、コンピュータ可読媒体１６０６中に常駐する／記憶されたソフトウェアモジュールであるか、プロセッサ１６０４に結合された１つまたは複数のハードウェアモジュールであるか、またはそれらの何らかの組合せであり得る。処理システム１６１４は、ＵＥ６５０の構成要素であり得、メモリ６６０および／またはＴＸプロセッサ６６８と、ＲＸプロセッサ６５６と、コントローラ／プロセッサ６５９とのうちの少なくとも１つを含み得る。
【００７１】
[0085]  一構成で、ワイヤレス通信のための装置１５０２／１５０２’は、セルの第１の帯域幅と第２の帯域幅とを判断するための手段と、セルからサブフレーム中の少なくとも１つのリソースブロックを用いて物理チャネルを受信するための手段と、サブフレームが１つまたは複数のシンボルを備える、第１の帯域幅と第２の帯域幅とに少なくとも部分的に基づいて、受信された物理チャネルについての少なくとも１つのＥＰＲＥ比を判断するための手段と、判断された少なくとも１つのＥＰＲＥ比に基づいて物理チャネルを処理するための手段と、少なくとも１つのＥＰＲＥ比に関連する情報を受信するための手段と、リソースブロックまたはサブフレームのうちの受信された少なくとも１つに対して少なくとも１つのＥＰＲＥ比をどのように適用するかを判断するための手段とを含む。上述の手段は、上述の手段によって具陳された機能を行うように構成された、装置１５０２、および／または装置１５０２’の処理システム１６１４の上述のモジュールのうちの１つまたは複数であり得る。上記で説明したように、処理システム１６１４は、ＴＸプロセッサ６６８と、ＲＸプロセッサ６５６と、コントローラ／プロセッサ６５９とを含み得る。従って、一構成で、上述の手段は、上述の手段によって具陳された機能を行うように構成されたＴＸプロセッサ６６８、ＲＸプロセッサ６５６、およびコントローラ／プロセッサ６５９であり得る。
【００７２】
[0086]  開示したプロセスにおけるステップの特定の順序または階層は、例示的な手法の一例であることを理解されたい。設計上の選好に基づいて、プロセス中のステップの特定の順序または階層は再構成され得ることを理解されたい。さらに、いくつかのステップは組み合わせられるかまたは省略され得る。添付の方法クレームは、様々なステップの要素を例示的な順序で提示したものであり、提示された特定の順序または階層に限定されるものではない。
【００７３】
[0087]  以上の説明は、当業者が本明細書で説明した様々な態様を実践できるようにするために提供したものである。これら態様に対する様々な変更は当業者には容易に明らかであり、本明細書で定義した一般的原理は他の態様に適用され得る。従って、特許請求の範囲は、本明細書に示された態様に限定されるものではなく、特許請求の言い回しに矛盾しない全範囲を与えられるべきであり、ここにおいて、単数形の要素への言及は、そのように明記されていない限り、「唯一無二の」を意味するものではなく、「１つまたは複数の」を意味するものである。別段に明記されていない限り、「いくつか」という語は１つまたは複数を指す。
【００７４】
[0088]  特許請求の範囲を含めて、本明細書で使用する「および／または」という用語は、２つ以上の項目の列挙中で使用されるとき、列挙された項目のうちのいずれか１つがそれだけで採用され得るか、または列挙された項目のうちの２つ以上の任意の組合せが採用され得ることを意味する。例えば、組成が構成要素Ａ、Ｂ、および／またはＣを含んでいるものとして表される場合、その組成は、Ａのみ、Ｂのみ、Ｃのみ、ＡとＢの組合せ、ＡとＣの組合せ、ＢとＣの組合せ、またはＡとＢとＣの組合せを含んでいることができる。また、特許請求の範囲を含めて、本明細書で使用される場合、「のうちの少なくとも１つ」で終わる項目の列挙中で使用される「または」は、例えば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【００７５】
[0089]  当業者に知られている、または後に知られることになる、本開示全体にわたって説明した様々な態様の要素の全ての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
【図１】
2018033148.tif 000005
【図２】
2018033148.tif 000006
【図３】
2018033148.tif 000007
【図４】
2018033148.tif 000008
【図５】
2018033148.tif 000009
【図６】
2018033148.tif 000010
【図７】
2018033148.tif 000011
【図８】
2018033148.tif 000012
【図９】
2018033148.tif 000013
【図１０】
2018033148.tif 000014
【図１１】
2018033148.tif 000015
【図１２】
2018033148.tif 000016
【図１３】
2018033148.tif 000017
【図１４】
2018033148.tif 000018
【図１５】
2018033148.tif 000019
【図１６】
2018033148.tif 000020
【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを備える、ワイヤレス通信の方法。
【手続補正２】
【補正対象書類名】明細書
【補正対象項目名】００７５
【補正方法】変更
【補正の内容】
【００７５】
[0089]  当業者に知られている、または後に知られることになる、本開示全体にわたって説明した様々な態様の要素の全ての構造的および機能的均等物は、参照により本明細書に明確に組み込まれ、特許請求の範囲に包含されるものである。その上、本明細書で開示したいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、本願の出願当初の特許請求の範囲に記載された発明を付記する。
[Ｃ１]
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを備える、ワイヤレス通信の方法。
[Ｃ２]
前記物理チャネルが物理ダウンリンク共有チャネル（ＰＤＳＣＨ）である、Ｃ１に記載の方法。
[Ｃ３]
前記物理チャネルが拡張物理ダウンリンク制御チャネル（ＥＰＤＣＣＨ）である、Ｃ１に記載の方法。
[Ｃ４]
前記第２の帯域幅が前記第１の帯域幅よりも小さい、Ｃ１に記載の方法。
[Ｃ５]
前記基準信号が、共通基準信号（ＣＲＳ）およびチャネル状態情報基準信号（ＣＳＩ−ＲＳ）のうちの少なくとも１つである、Ｃ１に記載の方法。
[Ｃ６]
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、Ｃ１に記載の方法。
[Ｃ７]
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、Ｃ１に記載の方法。
[Ｃ８]
前記少なくとも１つのＥＰＲＥ比に関連する情報を受信することをさらに備え、ここにおいて、前記少なくとも１つのＥＰＲＥ比が、前記受信された情報に基づいてさらに判断される、Ｃ１に記載の方法。
[Ｃ９]
前記リソースブロックまたは前記サブフレームのうちの前記受信された少なくとも１つに対して前記少なくとも１つのＥＰＲＥ比をどのように適用するかを判断することをさらに備える、Ｃ１に記載の方法。
[Ｃ１０]
前記少なくとも１つのＥＰＲＥ比をどのように適用するかの前記判断が、暗黙的導出または明示的シグナリングのうちの少なくとも１つに基づいて行われる、Ｃ９に記載の方法。
[Ｃ１１]
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、Ｃ９に記載の方法。
[Ｃ１２]
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、Ｃ９に記載の方法。
[Ｃ１３]
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに前記第３のＥＰＲＥ比を適用することを判断することとを備える、Ｃ９に記載の方法。
[Ｃ１４]
前記少なくとも１つのＥＰＲＥ比が第１および第２のＥＰＲＥ比を備え、前記少なくとも１つのＥＰＲＥ比をどのように適用するかの前記判断が、
第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、Ｃ９に記載の方法。
[Ｃ１５]
前記少なくとも１つのＥＰＲＥ比が、前記基準信号のためのアンテナポートの数に基づいてさらに判断される、Ｃ１に記載の方法。
[Ｃ１６]
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、Ｃ１に記載の方法。
[Ｃ１７]
前記第２のキャリアタイプがアンカーキャリアであり、前記第１のキャリアタイプが、前記アンカーキャリアと少なくとも１つの追加のキャリアセグメントとをアグリゲートするキャリアである、Ｃ１６に記載の方法。
[Ｃ１８]
セルの第１の帯域幅と第２の帯域幅とを判断するための手段と、ここにおいて、基準信号が、前記第２の帯域幅中に存在し、前記第２の帯域幅外に存在しない、
前記セルからサブフレーム中の少なくとも１つのリソースブロックを用いて物理チャネルを受信するための手段と、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断するための手段と、
前記判断された少なくとも１つのＥＰＲＥ比に基づいて前記物理チャネルを処理するための手段とを備える、ワイヤレス通信のための装置。
[Ｃ１９]
前記物理チャネルが物理ダウンリンク共有チャネル（ＰＤＳＣＨ）である、Ｃ１８に記載の装置。
[Ｃ２０]
前記物理チャネルが拡張物理ダウンリンク制御チャネル（ＥＰＤＣＣＨ）である、Ｃ１８に記載の装置。
[Ｃ２１]
前記第２の帯域幅が前記第１の帯域幅よりも小さい、Ｃ１８に記載の装置。
[Ｃ２２]
前記基準信号が、共通基準信号（ＣＲＳ）およびチャネル状態情報基準信号（ＣＳＩ−ＲＳ）のうちの少なくとも１つである、Ｃ１８に記載の装置。
[Ｃ２３]
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、Ｃ１８に記載の装置。
[Ｃ２４]
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、Ｃ１８に記載の装置。
[Ｃ２５]
前記少なくとも１つのＥＰＲＥ比に関連する情報を受信するための手段をさらに備え、ここにおいて、前記少なくとも１つのＥＰＲＥ比が、前記受信された情報に基づいてさらに判断される、Ｃ１８に記載の装置。
[Ｃ２６]
前記リソースブロックまたは前記サブフレームのうちの前記受信された少なくとも１つに対して前記少なくとも１つのＥＰＲＥ比をどのように適用するかを判断するための手段をさらに備える、Ｃ１８に記載の装置。
[Ｃ２７]
前記少なくとも１つのＥＰＲＥ比をどのように適用するかの前記判断が、暗黙的導出または明示的シグナリングのうちの少なくとも１つに基づいて行われる、Ｃ２６に記載の装置。
[Ｃ２８]
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、Ｃ２６に記載の装置。
[Ｃ２９]
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、Ｃ２６に記載の装置。
[Ｃ３０]
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに第３のＰＤＳＣＨ  ＥＰＲＥ比を適用することを判断することとを備える、Ｃ２６に記載の装置。
[Ｃ３１]
前記少なくとも１つのＥＰＲＥ比が第１および第２のＥＰＲＥ比を備え、前記少なくとも１つのＥＰＲＥ比をどのように適用するかを前記判断することが、第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、Ｃ２６に記載の装置。
[Ｃ３２]
前記少なくとも１つのＥＰＲＥ比が、前記基準信号のためのアンテナポートの数に基づいてさらに判断される、Ｃ１８に記載の装置。
[Ｃ３３]
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、Ｃ１８に記載の装置。
[Ｃ３４]
前記第２のキャリアタイプがアンカーキャリアであり、前記第１のキャリアタイプが、前記アンカーキャリアと少なくとも１つの追加のキャリアセグメントとをアグリゲートするキャリアである、Ｃ３３に記載の装置。
[Ｃ３５]
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを行うように構成された処理システムを備える、ワイヤレス通信のための装置。
[Ｃ３６]
前記物理チャネルが物理ダウンリンク共有チャネル（ＰＤＳＣＨ）である、Ｃ３５に記載の装置。
[Ｃ３７]
前記物理チャネルが拡張物理ダウンリンク制御チャネル（ＥＰＤＣＣＨ）である、Ｃ３５に記載の装置。
[Ｃ３８]
前記第２の帯域幅が前記第１の帯域幅よりも小さい、Ｃ３５に記載の装置。
[Ｃ３９]
前記基準信号が、共通基準信号（ＣＲＳ）およびチャネル状態情報基準信号（ＣＳＩ−ＲＳ）のうちの少なくとも１つである、Ｃ３５に記載の装置。
[Ｃ４０]
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、Ｃ３５に記載の装置。
[Ｃ４１]
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、Ｃ３５に記載の装置。
[Ｃ４２]
前記処理システムが、前記少なくとも１つのＥＰＲＥ比に関連する情報を受信するようにさらに構成され、ここにおいて、前記少なくとも１つのＥＰＲＥ比が、前記受信された情報に基づいてさらに判断される、Ｃ３５に記載の装置。
[Ｃ４３]
前記処理システムが、前記リソースブロックまたは前記サブフレームのうちの前記受信された少なくとも１つに対して前記少なくとも１つのＥＰＲＥ比をどのように適用するかを判断するようにさらに構成された、Ｃ３５に記載の装置。
[Ｃ４４]
前記少なくとも１つのＥＰＲＥ比をどのように適用するかの前記判断が、暗黙的導出または明示的シグナリングのうちの少なくとも１つに基づいて行われる、Ｃ４３に記載の装置。
[Ｃ４５]
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、Ｃ４３に記載の装置。
[Ｃ４６]
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、Ｃ４３に記載の装置。
[Ｃ４７]
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに前記第３のＥＰＲＥ比を適用することを判断することとを備える、Ｃ４３に記載の装置。
[Ｃ４８]
前記少なくとも１つのＥＰＲＥ比が第１および第２のＥＰＲＥ比を備え、前記少なくとも１つのＥＰＲＥ比をどのように適用するかの前記判断が、
第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、Ｃ４３に記載の装置。
[Ｃ４９]
前記少なくとも１つのＥＰＲＥ比が、前記基準信号のためのアンテナポートの数に基づいてさらに判断される、Ｃ３５に記載の装置。
[Ｃ５０]
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、Ｃ３５に記載の装置。
[Ｃ５１]
前記第２のキャリアタイプがアンカーキャリアであり、前記第１のキャリアタイプが、前記アンカーキャリアと少なくとも１つの追加のキャリアセグメントとをアグリゲートするキャリアである、Ｃ５０に記載の装置。
[Ｃ５２]
セルの第１の帯域幅と第２の帯域幅とを判断することと、ここにおいて、基準信号が、前記第２の帯域幅中に存在し、前記第２の帯域幅外に存在しない、
前記セルからサブフレーム中の少なくとも１つのリソースブロックを用いて物理チャネルを受信することと、前記サブフレームが１つまたは複数のシンボルを備える、
前記第１の帯域幅と前記第２の帯域幅とに少なくとも部分的に基づいて、前記受信された物理チャネルについての少なくとも１つのリソース要素単位エネルギー（ＥＰＲＥ）比を判断することと、
前記判断された少なくとも１つのＥＰＲＥ比に基づいて前記物理チャネルを処理することとを行うためのコードを備えるコンピュータ可読媒体を備える、コンピュータプログラム製品。
[Ｃ５３]
前記物理チャネルが物理ダウンリンク共有チャネル（ＰＤＳＣＨ）である、Ｃ５２に記載のコンピュータプログラム製品。
[Ｃ５４]
前記物理チャネルが拡張物理ダウンリンク制御チャネル（ＥＰＤＣＣＨ）である、Ｃ５２に記載のコンピュータプログラム製品。
[Ｃ５５]
前記第２の帯域幅が前記第１の帯域幅よりも小さい、Ｃ５２に記載のコンピュータプログラム製品。
[Ｃ５６]
前記基準信号が、共通基準信号（ＣＲＳ）およびチャネル状態情報基準信号（ＣＳＩ−ＲＳ）のうちの少なくとも１つである、Ｃ５２に記載のコンピュータプログラム製品。
[Ｃ５７]
前記少なくとも１つのＥＰＲＥ比が、前記基準信号を含んでいない前記サブフレーム中の少なくとも別のシンボルにおけるＰＤＳＣＨ  ＥＰＲＥで除算された、前記基準信号を含んでいる前記サブフレーム中の少なくとも１つのシンボルにおけるＰＤＳＣＨ  ＥＰＲＥである、Ｃ５２に記載のコンピュータプログラム製品。
[Ｃ５８]
前記少なくとも１つのＥＰＲＥ比が、前記サブフレーム中の前記基準信号のＥＰＲＥで除算された、前記サブフレーム中の少なくとも１つのシンボルにおけるＰＤＳＣＨ  ＥＰＲＥである、Ｃ５２に記載のコンピュータプログラム製品。
[Ｃ５９]
前記コンピュータ可読媒体が、前記少なくとも１つのＥＰＲＥ比に関連する情報を受信するためのコードをさらに備え、ここにおいて、前記少なくとも１つのＥＰＲＥ比が、前記受信された情報に基づいてさらに判断される、Ｃ５２に記載のコンピュータプログラム製品。
[Ｃ６０]
前記コンピュータ可読媒体が、前記リソースブロックまたは前記サブフレームのうちの前記受信された少なくとも１つに対して前記少なくとも１つのＥＰＲＥ比をどのように適用するかを判断するためのコードをさらに備える、Ｃ５２に記載のコンピュータプログラム製品。
[Ｃ６１]
前記少なくとも１つのＥＰＲＥ比をどのように適用するかの前記判断が、暗黙的導出または明示的シグナリングのうちの少なくとも１つに基づいて行われる、Ｃ６０に記載のコンピュータプログラム製品。
[Ｃ６２]
前記少なくとも１つのＥＰＲＥ比が第１および第２のＥＰＲＥ比を備え、前記少なくとも１つのＥＰＲＥ比をどのように適用するかを前記判断することが、前記基準信号をもたない第１のリソースブロックに前記第１のＥＰＲＥ比を適用することと、前記基準信号をもつ第２のリソースブロックに前記第２のＥＰＲＥ比を適用することとを判断することを備え、前記第１のリソースブロックと前記第２のリソースブロックとが同じサブフレーム中でコンカレントである、Ｃ６０に記載のコンピュータプログラム製品。
[Ｃ６３]
前記少なくとも１つのＥＰＲＥ比をどのように適用するかを前記判断することが、前記基準信号をもたない第１のリソースブロックと、前記基準信号をもつ第２のリソースブロックとに同じＥＰＲＥ比を適用することを判断することを備え、前記第１のリソースブロックと前記第２のリソースブロックとが同じサブフレーム中でコンカレントであり、前記同じＥＰＲＥ比が、前記第２の帯域幅と前記第１の帯域幅との比と、前記第２の帯域幅中の前記基準信号のＥＰＲＥとに基づいて判断される、Ｃ６０に記載のコンピュータプログラム製品。
[Ｃ６４]
前記少なくとも１つのＥＰＲＥ比が、第１、第２、および第３のＥＰＲＥ比を備え、前記少なくとも１つのＥＰＲＥ比をどのように適用するかを前記判断することが、
第１のキャリアタイプの前記基準信号をもつ第１のサブフレームに前記第１のＥＰＲＥ比を適用することと、第２のキャリアタイプの第２のサブフレームに前記第２のＥＰＲＥ比を適用することとを判断することと、
前記第１のキャリアタイプ内の前記基準信号をもたない第３のサブフレームに前記第３のＥＰＲＥ比を適用することを判断することとを備える、Ｃ６０に記載のコンピュータプログラム製品。
[Ｃ６５]
前記少なくとも１つのＥＰＲＥ比が第１および第２のＥＰＲＥ比を備え、前記少なくとも１つのＥＰＲＥ比をどのように適用するかの前記判断が、
第１のサブフレームに前記第１のＥＰＲＥ比を適用することと、前記基準信号をもつ第２のサブフレームに前記第２のＥＰＲＥ比を適用することとを判断することを備え、ここにおいて、前記第１のサブフレームと前記第２のサブフレームとが同じ無線フレーム中にあり、前記第１のＥＰＲＥ比と前記第２のＥＰＲＥ比とが異なる、Ｃ６０に記載のコンピュータプログラム製品。
[Ｃ６６]
前記少なくとも１つのＥＰＲＥ比が、前記基準信号のためのアンテナポートの数に基づいてさらに判断される、Ｃ５２に記載のコンピュータプログラム製品。
[Ｃ６７]
前記サブフレームの前記第１の帯域幅が第１のキャリアタイプであり、前記サブフレームの前記第２の帯域幅が第２のキャリアタイプであり、前記第１の帯域幅と前記第２の帯域幅とについて異なるＥＰＲＥ比が判断される、Ｃ５２に記載のコンピュータプログラム製品。
[Ｃ６８]
前記第２のキャリアタイプがアンカーキャリアであり、前記第１のキャリアタイプが、前記アンカーキャリアと少なくとも１つの追加のキャリアセグメントとをアグリゲートするキャリアである、Ｃ６７に記載のコンピュータプログラム製品。
【外国語明細書】
2018033148000001.pdf